(57)【要約】      （修正有）【課題】摘み上げても容器が脱落することはなく、また摘み上げる際、滑り止めの作用をなし作業性の向上に役立つ飲料封詰容器用注ぎ口挟止体の提供。  【解決手段】飲料等を封詰めするための容器の開口頂部全体を覆被且つ挟止するよう樹脂等にて上部から覆うように逆Ｖ字状に形成した挟止蓋体２と軸受体９とを支持軸８で係合させ、容器１の開口頂部３に設けた５の突片（Ａ）と挟止蓋体２内部に設けた６の突片（Ｂ）との係合、及び開口頂部３に設けた支持軸８と挟止蓋体２に設けた細矩形状の摺動溝７とを係合させ、前記突片双方の係脱により注ぎ口開口頂部３を開放及び閉鎖する。【選択図】図１
0003116190.tif 000002
【実用新案登録請求の範囲】
【請求項１】
紙又は樹脂からなる牛乳、果汁等を封詰めするための容器の開口頂部を挟止する挟止体において、前記容器の開口頂部一端の両側部に支持軸を設け他端の両側部に突片（Ａ）を設けて、開口頂部を上部から覆うように逆Ｖ字状に形成された挟止蓋体の前記開口頂部一端側の両側に前記支持軸と係合して摺動可能な細矩形状の摺動溝を設けるとともに他端側の両内面に突片（Ｂ）を設けて前記突片（Ａ）に係合させるようにしたことを特徴とする飲料封詰容器用注ぎ口挟止体。
【請求項２】
前記支持軸は、前記開口頂部一端の両側部に軸受体を設け、挟止蓋体の摺動溝及び容器の開口頂部を貫通させ前記軸受体に止着せしめた請求項１に記載の飲料封詰容器用注ぎ口挟止体。
【請求項３】
前記挟止蓋体は、その両側面に微小半球状の突起を多数配列形成せしめた請求項１又は２に記載の飲料封詰容器用注ぎ口挟止体。
【請求項４】
前記挟止蓋体は、その両側面に縦桟、横桟又は周縁角部に湾曲した湾曲桟を形成せしめた請求項１、２又は３のいずれかに記載の飲料封詰容器用注ぎ口挟止体。
【考案の詳細な説明】
【技術分野】
【０００１】  本考案は、紙又は樹脂からなる飲料封詰容器用注ぎ口挟止体に関するものである。
【背景技術】
【０００２】  従来より牛乳、果汁等を封詰するための容器においては、その注ぎ口周辺部となる開口頂部が剥き出しの構造となっていて、流通での塵埃汚濁及びスーパー等の店頭で陳列、前出し作業等で従業者の手指が頻繁に前記開口頂部に触れること又一旦開封した後飲み残しを冷蔵庫で保存する際注ぎ口が完全に封止出来ないこと等衛生上懸念される種々の問題があった。【０００３】  上述の問題点を解決すべくいくつかの考案もあるが例えば挟止体の一端側は容器に枢着させているが他端側は係止する構造とはなっていない（特許文献１参照）。又挟止体の内部に更に挟み込み部を設ける構造のものもある（特許文献２参照）。【０００４】
【特許文献１】  実開平２−９０２２０公報
【特許文献２】  実開平２−１４４５２１公報
【考案の開示】
【考案が解決しようとする課題】
【０００５】  衛生上の問題点を解決する方法として開口頂部全体を覆被し且つ開封前及び一旦開口開封した後，再閉鎖する際も開口頂部を完全に挟止することができなかった。【０００６】  特許文献１のものでは、スーパー等店頭での作業性の問題点として、容器に装着された挟止体を摘み上げる際、前記容器が脱落し易い等問題があった。【０００７】  特許文献２のものでは、飲料容器注ぎ口の開放又は閉鎖が容易に行えず、又構造も複雑で加工性も煩雑であった。
【課題を解決するための手段】
【０００８】  本考案は、容器開口頂部を覆い挟止する挟止体において、開口頂部の一端両側部に支持軸を設け他端両側部には突片（Ａ）を設けて、開口頂部を上部から覆うように逆Ｖ字状に形成された挟止蓋体の前記開口頂部一端側の両側に前記支持軸と係合して摺動可能な細矩形状の摺動溝を設けるとともに他端側の両内面に前記突片（Ｂ）を設けて前記突片（Ａ）に係合させるようにすることで係脱が自在となり開放又は閉鎖が容易にできるものである。【０００９】  また、前記支持軸は、軸受体で挟止蓋体の摺動溝と容器の開口頂部の一端を挟み込むように貫通せしめ前記軸受体に止着したものである。【００１０】  また、前記挟止蓋体は、その両側面に微小半球状の突起を多数配列形成せしめ摘み上げる際の滑り止めの作用をなすものである。【００１１】  さらに前記挟止蓋体は、その両側面に縦桟、横桟又は湾曲した桟を形成せしめ、挟止蓋体の強度を補強する作用をなすものである。
【考案の効果】
【００１２】  本案件の挟止体は、突片（Ａ）突片（Ｂ）双方の係止と支持軸を容器に固着することにより摘み上げても容器が脱落することはない。また挟止蓋体の両側面に微小突起を設けることにより摘み上げる際、滑り止めの作用をなし作業性の向上に役立つものである。さらに挟止蓋体の両側両周縁と摺動溝縁辺に桟を設け挟止蓋体の耐性向上の作用をなすものである。【００１３】  そして本考案の挟止体は、開口頂部全体を覆被し挟止する形状のため流通過程及び店頭作業で種々懸念される衛生上の問題等は解決される。
【考案を実施するための最良の形態】
【００１４】  図１、図２に示すように容器開口頂部３の一端に装着された支持軸８に挟止蓋体２の一端に設けた摺動溝７を係合させ挟止蓋体２を左右にスライドさせることにより、開口頂部３他端側に設けた突片（Ａ）４と挟止蓋体２他端側の内両面に設けた突片（Ｂ）６を係脱することができ、注ぎ口となる開口頂部３を開放又は閉鎖することができる。そして開放した状態で支持軸８を中心に挟止蓋体２を上方に撥ね上げて注ぎ口を開口するものであり、この逆の順序で封止及び閉鎖となる。
【実施例１】
【００１５】  以下添付の図面に従って説明する。１は飲料等を封詰めするための容器であり、２は樹脂等にて逆Ｖ字状に形成された挟止蓋体２である。【００１６】  図３に示すように、容器１開口頂部３の一端上辺部に支持軸８を嵌め込ませるための開口５ａ及び切溝５ｂとピン穴５とを設け、他端側上辺部の両側に突片（Ａ）４を設けるようにしたものである。また図４（ａ）は図３に示すＣ矢視方向から見た図で、開口頂部上辺に設けた突片（Ａ）４の断面は尖端が上向きの三角形であり挟止蓋体２の内面を三角形の傾斜に沿って案内するものである。また突片（Ａ）４には底面４ａが形成されている。また、図４（ｂ）に示すピン穴５の上部には切溝５ｂが設けられ、この切溝５ｂの上部には傾斜面状の開口５ａが設けられている。そして軸受体９に止着された支持軸８は開口５ａから押入し、切溝５ｂを経てピン穴５に嵌め込むことができる。【００１７】  図５は挟止蓋体２を示すものであり、樹脂等にて逆Ｖ字状に形成せしめた挟止蓋体２の図示左側先端部は裾広がり状の面をもつ中央壁２ａを挟止蓋体２と一体的に連ねて形成させたものとなっている。また、挟止蓋体２の図示右側後端部には中央壁は設けられない。また挟止蓋体２の下端部は挟止蓋体２と長手方向に平行に斜面２ｂを設け、開口頂部３を挟止蓋体２で挟被止する際、開口頂部３の先端を斜面２ｂの斜面に沿って案内するものである。また図５に示すＧ矢視方向から見た挟止蓋体２の後端上辺部の両面に挟止蓋体２の長手方向と平行に、支持軸８が摺動可能なように摺動溝７を細矩形状に設けたものである。また前記Ｅ矢視図方向から見た挟止蓋体２の先端内両面に三角柱状の小片、突片（Ｂ）６を前記開口頂部３に設けた突片（Ａ）４に係合可能な位置に設けている。【００１８】  また図６（ａ）は、図５のＥ矢視方向から見た図であり、挟止蓋体２の内両面に設けた突片（Ｂ）６の断面は尖端が下向きの三角形であり上面６ａが形成されている。また図６（ｂ）は図５のＦ方向から見た矢視図であり、突片（Ｂ）６の上面視形状は、図示右側に尖端をもつ斜面６ｂを挟止蓋体２先端の内両側に設け、前記開口頂部３の先端を斜面に沿って案内するものである。
【実施例２】
【００１９】  図７（ａ），（ｂ）は挟止蓋体２と軸受体９との組付けを示したものであり、軸受体９の内両面に挟止蓋体２の摺動溝７部を挟み込み支持軸８で摺動溝７両面を貫通させ、支持軸８両端を軸受体９に止着せしめ挟止蓋体２と軸受体９を組付けるようにしたものである。また、図７（ｂ）に示すように軸受体９の側壁９ａ，９ｂは中央壁９ｃにより一体的に連なって形成されたものである。【００２０】  図２に示すのは、支持軸８を挟止蓋体２と軸受体９に係合させ支持軸８の中央部を容器１開口頂部３図に設けた開口５ａから押入し切溝５ｂを経てピン穴５に嵌め込むことができる。【００２１】  図１に示すのは、本考案の挟止体即ち挟止蓋体２と軸受体９とを組付けたものを容器１の開口頂部３に装着したものであり、開口頂部３の図示左側先端部上辺両端に設けた突片（Ａ）４と挟止蓋体２の図示左側先端部内両面に設けた突片（Ｂ）６が係止されまた前記容器１開口頂部３の図示右側後端部に設けた支持軸８に挟止蓋体２の図示左側後端部に挟止蓋体２の長手方向と平行に設けた細矩形状の摺動溝７を係合させたものであり、開口頂部を閉鎖することができる。また前記軸受体９の下辺部に設けた折曲り部９ｄは容器１に止着され、依って前記軸受体９及び支持軸８は固定されることとになり挟止蓋体２を摘み上げても容器１が挟止蓋体２より脱落することはなく、店頭等での作業性にも問題はないものである。また、本考案の挟止体は開口頂部３全体を覆被する構造のため衛生上の問題等も解決されるものである。
【実施例３】
【００２２】  図８に示すように、挟止蓋体２の両側面に直径０．５〜１．０ｍｍ程度の微小半球状の突起１０を多数配列形成せしめ摘み上げる際の滑り止めとなるようにしたものである。
【実施例４】
【００２３】  さらに、挟止蓋体２の周縁には縦桟１１ａ，１１ａ、横桟１１ｂ，１１ｂ、湾曲桟１１ｄ，１１ｄ，１１ｄを設け当該部分の板厚を厚くするか、又は二重にして強度を補強したものである。また同様に中央部に横桟１１ｃをそして摺動溝７の縁辺にも周縁桟１１ｅを設け前記挟止蓋体２の強度を補強するものである。
【図面の簡単な説明】
【００２４】
【図１】挟止蓋体２を容器１に装着し突片（Ａ）４と突片（Ｂ）６とを係止させ開口頂部を閉鎖したことを示す側面図である。
【図２】挟止蓋体２を開口頂部３のピン穴５に装着したことを示す側面図である。
【図３】図３は挟止蓋体２を装着する前の容器１及び開口頂部３とピン穴５及び開口５ａと切溝５ｂを示す斜視図である。
【図４】図４（ａ）は図３のＣ矢視図であり、図４（ｂ）は図３のＤ部拡大図である。
【図５】挟止蓋体２を示す斜視図である。
【図６】図６（ａ）は図５のＥ矢視図であり、図６（ｂ）は図５のＦ矢視図である。
【図７】図７（ａ）は挟止蓋体２を支持軸８で軸受体９に取付けたことを示す側面図である。また図７（ｂ）は支持軸８を軸受体９に止着したことを示す斜視図である。
【図８】挟止蓋体２の両側面に微小半球状の突起１０、及び桟１１（ａ），（ｂ），（ｃ），（ｄ），（ｅ）を設けたことを示す側面図である。
【符号の説明】
【００２５】１        容器
２        挟止蓋体
２ａ      中央壁
２ｂ      下辺傾斜部
２ｃ      下辺傾斜部
３        開口頂部
４        突片（Ａ）
５        ピン穴及び開口と切溝
６        突片（Ｂ）
７        摺動溝
８        支持軸
９        軸受体
９ａ      側壁
９ｂ      側壁
９ｃ      中央壁
９ｄ      折曲り部
９ｅ      折曲り部
１０      微小半球状の突起
１１ａ    縦桟
１１ｂ    横桟
１１ｃ    横桟
１１ｄ    湾曲桟
１１ｅ    摺動溝周縁桟
【図１】
0003116190.tif 000003
【図２】
0003116190.tif 000004
【図３】
0003116190.tif 000005
【図４】
0003116190.tif 000006
【図５】
0003116190.tif 000007
【図６】
0003116190.tif 000008
【図７】
0003116190.tif 000009
【図８】
0003116190.tif 000010